(57)【要約】【課題】画面遷移の操作を簡便にする。【解決手段】販売管理システム１におけるサーバ２は、所定の単位文字数（２文字）からなる文字の組合せにより構成されるコード（ショートカットコード）がユーザー操作に基づき入力されたことを契機として、当該コードに対応する遷移画面を特定し、特定された遷移画面を端末装置３の表示部３５に表示させる。【選択図】図９
2020201803.tif 000002
【特許請求の範囲】
【請求項１】
所定の単位文字数からなる文字の組合せにより構成されるコードがユーザー操作に基づき入力されたことを契機として、当該コードに対応する遷移画面を特定する特定手段と、
前記特定手段により特定された前記遷移画面を表示手段に表示させる表示制御手段と、
を備えることを特徴とする表示制御装置。
【請求項２】
前記特定手段は、ユーザー操作に基づき入力された前記コードの文字数が入力可能な最大文字数よりも少ない文字数である場合、当該コードが入力されてから所定時間が経過した後に、当該コードに対応する遷移画面を特定することを特徴とする請求項１に記載の表示制御装置。
【請求項３】
前記特定手段は、ユーザー操作に基づき入力された前記コードの文字数が入力可能な最大文字数である場合、前記所定時間の経過を待つことなく当該コードに対応する遷移画面を特定することを特徴とする請求項２に記載の表示制御装置。
【請求項４】
前記コードを構成する前記所定の単位文字数からなる文字のそれぞれは、当該コードに対応する遷移画面へボタン操作に基づき移行する過程の各階層の画面において操作すべきボタンに付されている識別文字と対応付けられていることを特徴とする請求項１〜３のいずれか一項に記載の表示制御装置。
【請求項５】
前記コードとして、新規の遷移画面を前記表示手段に表示可能にするための追加コードが予め設定されており、
前記特定手段は、前記追加コードがユーザー操作に基づき入力されたことを契機として、当該追加コードに対応する前記新規の遷移画面を特定し、
前記表示制御手段は、前記特定手段により特定された前記新規の遷移画面を前記表示手段に表示させることを特徴とする請求項１〜４のいずれか一項に記載の表示制御装置。
【請求項６】
前記追加コードがユーザー操作に基づき入力されたことを契機として、当該追加コードに対応する前記新規の遷移画面を前記表示手段に表示させるためのボタンを所定の画面上に配置する配置手段を備えることを特徴とする請求項５に記載の表示制御装置。
【請求項７】
ショートカットコードの入力を受け付ける受付手段と、
前記受付手段により前記ショートカットコードの入力が受け付けられたことを契機として、階層化された複数の画面のそれぞれを特定可能な所定のショートカットコード対応テーブルに基づいて、当該ショートカットコードに対応する画面を特定する特定手段と、
前記特定手段により特定された前記画面が表示されるまでの各階層の画面の表示を経ることなく当該特定された画面を表示手段に表示させる表示制御手段と、
を備えることを特徴とする表示制御装置。
【請求項８】
コンピュータを、
所定の単位文字数からなる文字の組合せにより構成されるコードがユーザー操作に基づき入力されたことを契機として、当該コードに対応する遷移画面を特定する特定手段、
前記特定手段により特定された前記遷移画面を表示手段に表示させる表示制御手段、
として機能させることを特徴とするプログラム。
【発明の詳細な説明】
【技術分野】
【０００１】
本発明は、表示制御装置及びプログラムに関する。
【背景技術】
【０００２】
従来、親メニューに表示される各メニュー項目のうちの所望のメニュー項目に対応して示されている項番を選択し、さらに、選択されたメニュー項目に対応する１以上の実行処理プログラム名を、この実行処理プログラム選択用画面としての子メニュー画面上に表示させ、表示された実行処理プログラム名に対応する項番をこの子メニュー画面から選択し入力させるメニュー表示処理装置がある（例えば、特許文献１参照）。
【先行技術文献】
【特許文献】
【０００３】
【特許文献１】特開平５−２０４６２７号公報
【発明の概要】
【発明が解決しようとする課題】
【０００４】
しかしながら、上記特許文献１に記載されているメニュー表示処理装置では、所望の実行処理プログラムを起動させようとした場合、親メニュー画面において所望のメニュー項目に対応して示されている項番を選択し、さらに、子メニュー画面において所望の実行処理プログラムに対応する項番を選択しなければならないため、当該所望の実行処理プログラムの起動画面へ遷移する際の操作が煩わしいという問題がある。
【０００５】
本発明は、このような問題に鑑みてなされたものであり、画面遷移の操作を簡便にすることを目的とする。
【課題を解決するための手段】
【０００６】
上記課題を解決するため、本発明に係る表示制御装置は、
所定の単位文字数からなる文字の組合せにより構成されるコードがユーザー操作に基づき入力されたことを契機として、当該コードに対応する遷移画面を特定する特定手段と、
前記特定手段により特定された前記遷移画面を表示手段に表示させる表示制御手段と、
を備えることを特徴とする。
【発明の効果】
【０００７】
本発明によれば、画面遷移の操作を簡便にすることができる。
【図面の簡単な説明】
【０００８】
【図１】本実施形態の販売管理システムの概略構成図である。
【図２】サーバの機能構成を示すブロック図である。
【図３】端末装置の機能構成を示すブロック図である。
【図４】ショートカットコード対応テーブルの一例を示す図である。
【図５】売上メニュー画面の一例を示す図である。
【図６】見積メニュー画面の一例を示す図である。
【図７】見積入力メニュー画面の一例を示す図である。
【図８】見積書（Ａ４タテ）入力画面の一例を示す図である。
【図９】ショートカット表示制御処理の制御手順を示すフローチャートである。
【図１０】伝票リストの一例を示す図である。
【発明を実施するための形態】
【０００９】
以下に、本発明について、図面を用いて具体的な態様を説明する。ただし、発明の範囲は、図示例に限定されない。
【００１０】
＜販売管理システム１の構成＞
まず、図１を参照して、本実施形態の構成を説明する。図１は、本実施形態の販売管理システム１の概略構成図である。
【００１１】
図１に示すように、販売管理システム１は、サーバ（表示制御装置）２と、複数の端末装置３とを備えている。サーバ２と端末装置３とは通信ネットワークＮを介して情報通信可能に接続される。
【００１２】
サーバ２は、例えば、クラウド上のサーバであり、販売管理システム１を導入した各企業における仕入れ、受注、在庫、発送、納品、請求、販売計画など販売業務に関する管理を行う。
【００１３】
端末装置３は、例えば、販売管理システム１を導入した各企業の社員が使用する端末装置である。この端末装置３としては、例えば、ノートＰＣ（Personal Computer）、デスクトップＰＣ等が挙げられる。なお、これに限定されず、スマートフォン、タブレットＰＣ、携帯電話機、ＰＤＡ（Personal Digital Assistant）であってもよい。
【００１４】
通信ネットワークＮは、例えば、インターネットであるものとするが、ＬＡＮ（Local Area Network）等、他のネットワークとしてもよい。
【００１５】
＜サーバ２の構成＞
次に、図２を参照して、サーバ２の機能構成について説明する。図２は、サーバ２の機能構成を示すブロック図である。
【００１６】
図２に示すように、サーバ２は、ＣＰＵ（Central Processing Unit）２１と、ＲＡＭ（Random Access Memory）２２と、記憶部２３と、操作部２４と、表示部２５と、通信部２６とを備えている。また、サーバ２の各部は、バス２７を介して接続されている。
【００１７】
ＣＰＵ（特定手段、表示制御手段、配置手段、受付手段）２１は、記憶部２３に記憶されているシステムプログラムやアプリケーションプログラムといった各種のプログラムを読み出してＲＡＭ２２のワークエリアに展開し、当該プログラムに従ってサーバ２の各部の動作を制御する。例えば、ＣＰＵ２１は、アプリケーションプログラムの実行結果に応じて、端末装置３の表示部３５に当該実行結果に係る表示を行わせるための制御信号を生成し、通信部２６を介して端末装置３に送信する。
【００１８】
ＲＡＭ２２は、例えば、揮発性のメモリであり、ＣＰＵ２１により読み出された各種のプログラムやデータを一時的に格納するワークエリアを有する。
【００１９】
記憶部２３は、例えば、ＨＤＤ（Hard Disk Drive）、ＳＳＤ（Solid State Drive）、ＥＥＰＲＯＭ（Electrically Erasable Programmable Read Only Memory）などにより構成される。
記憶部２３には、ＣＰＵ２１で実行されるシステムプログラム、Ｗｅｂサーバプログラム等のアプリケーションプログラム、これらのプログラムの実行に必要なデータ等が記憶されている。
【００２０】
また、記憶部２３には、ショートカットコード対応テーブルＴが記憶されている。
図４に示すように、ショートカットコード対応テーブルＴには、例えば、「ショートカットコード」及び「遷移画面」の項目が設けられており、これらの項目に関するデータが互いに対応付けられて記憶されるようになっている。
【００２１】
操作部２４は、例えば、キーボード等のキー入力部と、マウス等のポインティングデバイスとを有している。また、操作部２４は、キー入力及び位置入力を受け付け、その操作情報をＣＰＵ２１に出力する。
【００２２】
表示部２５は、例えば、ＬＣＤ（Liquid Crystal Display）や有機ＥＬ（Electro Luminescence）ディスプレイ等から構成されている。また、表示部２５には、ＣＰＵ２１から出力されて入力される表示信号の指示に従って、各種画面を表示する。
【００２３】
通信部２６は、例えば、ネットワークカード等により構成されている。また、通信部２６は、通信ネットワークＮに通信接続されて、通信ネットワークＮ上の機器（例えば、端末装置３等）との通信を行う。
【００２４】
＜端末装置３の構成＞
次に、図３を参照して、端末装置３の機能構成について説明する。図３は、端末装置３の機能構成を示すブロック図である。
【００２５】
図３に示すように、端末装置３は、ＣＰＵ３１と、ＲＡＭ３２と、記憶部３３と、操作部３４と、表示部３５と、無線通信部３６とを備えている。また、端末装置３の各部は、バス３７を介して接続されている。
【００２６】
ＣＰＵ３１は、記憶部３３に記憶されているシステムプログラムやアプリケーションプログラムといった各種プログラムを読み出してＲＡＭ３２のワークエリアに展開し、当該プログラムに従って端末装置３の各部の動作を制御する。例えば、ＣＰＵ３１は、ブラウザなどの情報表示入力プログラムを実行して、操作部３４に対するユーザーの入力操作の内容に基づく情報を無線通信部３６によりサーバ２に送信させたり、サーバ２から受信した情報を表示部３５に表示させたりする。
【００２７】
ＲＡＭ３２は、例えば、揮発性のメモリであり、ＣＰＵ３１により読み出された各種のプログラムやデータを一時的に格納するワークエリアを有する。
【００２８】
記憶部３３は、例えば、ＨＤＤ、ＳＳＤ、ＥＥＰＲＯＭ、フラッシュメモリなどにより構成される。記憶部３３には、ＣＰＵ３１で実行されるシステムプログラムやブラウザ等のアプリケーションプログラム、これらのプログラムの実行に必要なデータ等が記憶されている。
【００２９】
操作部３４は、例えば、キーボード等のキー入力部と、マウス等のポインティングデバイスとを有している。また、操作部３４は、キー入力及び位置入力を受け付け、その操作情報をＣＰＵ３１に出力する。
【００３０】
表示部（表示手段）３５は、例えば、ＬＣＤや有機ＥＬディスプレイ等から構成されている。また、表示部３５には、ＣＰＵ３１から出力されて入力される表示信号の指示に従って、各種画面を表示する。
【００３１】
無線通信部３６は、例えば、アンテナ、変復調回路、信号処理回路等により構成されている。また、無線通信部３６は、通信ネットワークＮに接続されている基地局やアクセスポイント等と無線電波により情報の送受信を行い、通信ネットワークＮ上の機器（例えば、サーバ２等）との通信を行う。
【００３２】
《販売管理システム１の動作》
＜通常の画面遷移操作＞
まず、所望の画面を端末装置３の表示部３５に表示させる際の通常の画面遷移操作について説明する。
【００３３】
所望の画面として、例えば、図８に示す見積書（Ａ４タテ）入力画面４４を端末装置３の表示部３５に表示させる場合、トップ画面（図示省略）などにおいて、売上タブＴＢ１（図５参照）を選択する入力操作を行うことによって、図５に示す売上メニュー画面４１を表示部３５に表示させる。ここで、トップ画面とは、販売管理システム１を導入した各企業の社員がサーバ２にログインした際、表示部３５に最初に表示される画面である。
【００３４】
図５に示すように、売上メニュー画面４１は、大きく分けて、売上タブＴＢ１、仕入タブＴＢ２、在庫タブＴＢ３、計画タブＴＢ４、設定タブＴＢ５などが表示されるタブ表示領域Ｒ１と、見積ボタンＢ１、売上請求ボタンＢ２、受注ボタンＢ３、発送ボタンＢ４、得意先ボタンＢ５、商品ボタンＢ６、フォームビルダーボタンＢ７などが表示される売上メニュー表示領域Ｒ２と、によって構成されている。また、売上メニュー画面４１の右上には、後述するショートカットキー（ショートカットコード）を入力するためのテキストボックスＡ１が表示されている。テキストボックスＡ１は、破線によって３つの文字入力領域に分けられており、各文字入力領域には２つ（２桁）の文字を入力可能となっている。つまり、テキストボックスＡ１は、最大で６つ（６桁）の文字を入力可能となっている。
見積書（Ａ４タテ）入力画面４４を表示部３５に表示させる場合、売上メニュー画面４１において、見積ボタンＢ１を選択する入力操作を行うことによって、図６に示す見積メニュー画面４２を表示部３５に表示させる。
【００３５】
図６に示すように、見積メニュー画面４２は、大きく分けて、上述のタブ表示領域Ｒ１と、見積入力ボタンＢ８、見積訂正ボタンＢ９などが表示される見積メニュー表示領域Ｒ３と、によって構成されている。また、見積メニュー画面４２の右上には、売上メニュー画面４１と同様にテキストボックスＡ１が表示されている。
見積書（Ａ４タテ）入力画面４４を表示部３５に表示させる場合、見積メニュー画面４２において、見積入力ボタンＢ８を選択する入力操作を行うことによって、図７に示す見積入力メニュー画面４３を表示部３５に表示させる。
【００３６】
図７に示すように、見積入力メニュー画面４３は、大きく分けて、上述のタブ表示領域Ｒ１と、見積書（Ａ４ヨコ）ボタンＢ１０、見積書（Ａ４タテ）ボタンＢ１１など、各種の見積書入力画面を表示するための複数のボタン（メニューボタン）が表示される見積入力メニュー表示領域Ｒ４と、によって構成されている。また、見積入力メニュー画面４３の右上には、売上メニュー画面４１と同様にテキストボックスＡ１が表示されている。
見積入力メニュー画面４３において、見積書（Ａ４タテ）ボタンＢ１１を選択する入力操作を行うことによって、図８に示すように、見積書（Ａ４タテ）入力画面４４が表示部３５に表示される。
【００３７】
＜ショートカットキーを用いた画面遷移操作＞
次に、ショートカットキーを用いて端末装置３の表示部３５に所望の画面を表示させる際の画面遷移操作について説明する。
【００３８】
上述した通常の画面遷移操作と同様に所望の画面として、例えば、図８に示す見積書（Ａ４タテ）入力画面４４を端末装置３の表示部３５に表示させる場合、上述の売上メニュー画面４１や見積メニュー画面４２、見積入力メニュー画面４３などにおいて、見積書（Ａ４タテ）入力画面４４に対応するショートカットキー（ショートカットコード）である「０１０１０２」（図４参照）をテキストボックスＡ１に入力する。これにより、上述した通常の画面遷移操作を行うことなく、見積書（Ａ４タテ）入力画面４４を表示部３５に直接表示させることができるようになっている。
【００３９】
ここで、見積書（Ａ４タテ）入力画面４４に対応するショートカットキー「０１０１０２」のうちの先頭２桁の「０１」は、売上メニュー画面４１に表示される見積ボタンＢ１に付されている番号「０１」（図５参照）に対応するものとなっている。また、「０１０１０２」のうちの先頭２桁に続く次の２桁の「０１」は、見積メニュー画面４２に表示される見積入力ボタンＢ８に付されている番号「０１」（図６参照）に対応するものとなっている。また、「０１０１０２」のうちの後尾２桁の「０２」は、見積入力メニュー画面４３に表示される見積書（Ａ４タテ）ボタンＢ１１に付されている番号「０２」（図７参照）に対応するものとなっている。
【００４０】
［ショートカット表示制御処理］
次に、上述したショートカットキーを用いた画面遷移操作がなされた際にサーバ２において実行されるショートカット表示制御処理の制御手順について説明する。
図９は、ショートカット表示制御処理の制御手順を示すフローチャートである。
【００４１】
ショートカット表示制御処理が開始されると、ＣＰＵ２１は、まず、テキストボックスＡ１にショートカットコード（ショートカットキー）の入力がなされたか否かを判定する（ステップＳ１）。
【００４２】
ステップＳ１において、ショートカットコードの入力がなされていないと判定された場合（ステップＳ１；ＮＯ）、ＣＰＵ２１は、当該ショートカットコードの入力がなされるまでの間、ステップＳ１の判定処理を繰り返し行う。
一方、ステップＳ１において、ショートカットコードの入力がなされたと判定された場合（ステップＳ１；ＹＥＳ）、ＣＰＵ２１は、入力されたショートカットコードの桁数がテキストボックスＡ１へ入力可能な最大桁数（６桁）であるか否かを判定する（ステップＳ２）。
【００４３】
ステップＳ２において、入力されたショートカットコードの桁数がテキストボックスＡ１へ入力可能な最大桁数（６桁）であると判定された場合（ステップＳ２；ＹＥＳ）、ＣＰＵ２１は、図４に示すショートカットコード対応テーブルＴを参照して、入力されたショートカットコードに対応する遷移画面があるか否かを判定する（ステップＳ３）。
【００４４】
ステップＳ３において、入力されたショートカットコードに対応する遷移画面が無いと判定された場合（ステップＳ３；ＮＯ）、ＣＰＵ２１は、処理をステップＳ１へ戻し、それ以降の処理を繰り返し行う。
一方、ステップＳ３において、入力されたショートカットコードに対応する遷移画面があると判定された場合（ステップＳ３；ＹＥＳ）、ＣＰＵ２１は、当該ショートカットコード（６桁のショートカットコード）に対応する遷移画面を端末装置３の表示部３５に表示させ（ステップＳ４）。具体的には、例えば、ショートカットコード「０１０１０２」（図４参照）が入力された場合、当該ショートカットコードの入力後１秒間が経過するのを待つことなく、当該ショートカットコードに対応する遷移画面があるか否かが判定され、当該ショートカットコードに対応する見積書（Ａ４タテ）入力画面４４が表示部３５に表示される。そして、ＣＰＵ２１は、ショートカット表示制御処理を終了する。
【００４５】
また、ステップＳ２において、入力されたショートカットコードの桁数がテキストボックスＡ１へ入力可能な最大桁数（６桁）ではないと判定された場合（ステップＳ２；ＮＯ）、ＣＰＵ２１は、ステップＳ１でショートカットコードの入力がなされたと判定された当該ショートカットコードの入力後、１秒間の間に当該ショートカットコードに対して追加の入力がなされたか否かを判定する（ステップＳ５）。具体的には、例えば、ステップＳ１で入力がなされたと判定されたショートカットコードが「０１０１」である場合に、このショートカットコード「０１０１」の入力後、１秒間の間に当該ショートカットコード「０１０１」の末尾に続けて「０１」や「０２」等の入力がなされたか否かを判定する。
【００４６】
ステップＳ５において、ステップＳ１でショートカットコードの入力がなされたと判定された当該ショートカットコードの入力後、１秒間の間に当該ショートカットコードに対して追加の入力がなされていないと判定された場合（ステップＳ５；ＮＯ）、ＣＰＵ２１は、処理をステップＳ３へ移し、それ以降の処理を行う。
一方、ステップＳ５において、ステップＳ１でショートカットコードの入力がなされたと判定された当該ショートカットコードの入力後、１秒間の間に当該ショートカットコードに対して追加の入力がなされたと判定された場合（ステップＳ５；ＹＥＳ）、ＣＰＵ２１は、処理をステップＳ２に戻し、それ以降の処理を行う。
【００４７】
＜伝票追加機能＞
次に、サーバ２により提供される伝票追加機能について説明する。ここで、伝票追加機能とは、作成可能な伝票のバリエーションを増やすことができる機能である。この伝票追加機能によって、例えば、新規の取引先から要求された様式の伝票を作成することが可能になる。
【００４８】
例えば、取引先からＢ５タテ、明細４行、入数なしの様式の見積書を要求された場合、ユーザー（販売管理システム１を導入した企業の社員）は、端末装置３の操作部３４を介して、所定の操作を行うことにより、サーバ２が提供する伝票リストＬ（図１０参照）を端末装置３の表示部３５に表示させる。ユーザーは、取引先から要求された上記様式の見積書を伝票リストＬから探し出し、当該見積書に対応付けられている販売管理番号（販売管理Ｎｏ．）である「１Ｂ」を確認する。
【００４９】
次いで、ユーザーは、上記見積書を新規に作成する際に用いられる追加コードとしてのショートカットコード「０７０１１Ｂ」（図４参照）を上述したテキストボックスＡ１に入力し、当該見積書の作成画面（図示省略）を端末装置３の表示部３５に表示させる。ここで、ショートカットコード「０７０１１Ｂ」のうちの先頭４桁の「０７０１」は、新規伝票作成を指示するコードであり、後尾２桁の「１Ｂ」は、上述の取引先から要求された様式の見積書に対応付けられている販売管理番号「１Ｂ」である。これにより、取引先から要求された見積書を作成することができるようになる。
また、テキストボックスＡ１に上記見積書を新規に作成するためのショートカットコード「０７０１１Ｂ」が入力されると、見積入力メニュー画面４３には当該見積書に対応するボタン（図示省略）が追加されるようになっている。
【００５０】
以上、本実施の形態によれば、サーバ２は、所定の単位文字数（２文字）からなる文字の組合せにより構成されるコード（ショートカットコード）がユーザー操作に基づき入力されたことを契機として、当該コードに対応する遷移画面を特定し、特定された遷移画面を端末装置３の表示部３５に表示させる。
したがって、所望の遷移画面を表示させる際に、ショートカットコードの入力に加えて決定キー（例えば、エンターキー）を操作する必要がないので、画面遷移の操作を簡便にすることができる。
【００５１】
また、本実施の形態によれば、サーバ２は、ユーザー操作に基づき入力されたショートカットコードの文字数が入力可能な最大文字数（例えば、６文字）よりも少ない文字数（例えば、４文字）である場合、当該ショートカットコードが入力されてから所定時間（例えば、１秒間）の経過後に、当該ショートカットコードに対応する遷移画面を特定するので、ユーザーが最大文字数のショートカットコード（例えば、「０１０１０２」）を入力しようとしたところ、入力途中のショートカットコード（例えば、「０１０１」）に対応する遷移画面が誤って特定され、当該遷移画面が表示部３５に表示されてしまうことを防止することができる。
【００５２】
また、本実施の形態によれば、サーバ２は、ユーザー操作に基づき入力されたショートカットコードの文字数が入力可能な最大文字数（例えば、６文字）である場合、所定時間（例えば、１分間）の経過を待つことなく当該ショートカットコードに対応する遷移画面を特定するので、当該ショートカットコードに対応する遷移画面を効率よく特定することができる。したがって、入力可能な最大文字数のショートカットコードが入力された場合、当該ショートカットコードに対応する遷移画面を表示部３５に迅速に表示させることができる。
【００５３】
また、本実施の形態によれば、ショートカットコードを構成する所定の単位文字数（２文字）からなる文字のそれぞれは、当該ショートカットコードに対応する遷移画面へボタン操作に基づき移行する過程の各階層の画面において操作すべきボタンに付されている識別文字と対応付けられているので、ボタン操作に基づき所望の画面へ遷移させる操作を行う度に各階層の画面において操作すべきボタンに付されている識別文字が目につくようになり、当該所望の画面に遷移させるためのショートカットコードを覚えさせ易くすることができる。
【００５４】
また、本実施の形態によれば、サーバ２は、追加コード（例えば、「０７０１１Ｂ」）がユーザー操作に基づき入力されたことを契機として、当該追加コードに対応する新規の遷移画面（新規伝票（Ｂ５タテ／明細４行／入数なし）作成画面）を特定し、特定された新規の遷移画面を表示部３５に表示させるので、当該追加コードを用いることによって、サーバ２により提供される新たな機能を利用することができるようになる。
【００５５】
また、本実施の形態によれば、サーバ２は、追加コードがユーザー操作に基づき入力されたことを契機として、当該追加コードに対応する新規の遷移画面を表示部３５に表示させるためのボタンを所定の画面上に配置するので、当該ボタンの配置後は当該ボタンの操作によって当該新規の遷移画面を表示部３５に表示させることができる。
したがって、上記の新規の遷移画面を表示部３５に表示させる度に追加コードを調べ、当該追加コードを入力するといった手間を省くことができるので、ユーザーの利便性を向上させることができる。
【００５６】
また、本実施の形態によれば、サーバ２は、ショートカットコードの入力を受け付け、当該ショートカットコードの入力が受け付けられたことを契機として、階層化された複数の遷移画面のそれぞれを特定可能なショートカットコード対応テーブルＴに基づいて、当該ショートカットコードに対応する遷移画面を特定し、特定された遷移画面が表示されるまでの各階層の遷移画面の表示を経ることなく当該特定された遷移画面を表示部３５に表示させる。
したがって、所望の遷移画面を表示させる際に、当該所望の遷移画面に対応するショートカットコードを入力するだけで、各階層の遷移画面の表示を経ることなく当該所望の遷移画面をダイレクトに表示することができるので、画面遷移の操作を簡便にすることができる。
【００５７】
以上、本発明を上記実施形態に基づいて具体的に説明してきたが、本発明は上記実施形態に限定されるものではなく、その要旨を逸脱しない範囲で変更可能である。
例えば、上記実施形態において、ショートカットコードの最大文字数を６文字としたが、遷移可能な画面の最下層の位置に応じて適宜変更可能である。また、当該ショートカットコードの単位文字数は１文字や２文字以上であってもよい。
【００５８】
また、上記実施形態において、テキストボックスＡ１へのキー入力によりショートカットコードを入力するようにしたが、例えば、ユーザー操作に基づく手書き入力により当該ショートカットコードを入力することができるようにしてもよい。
【００５９】
また、上記した実施形態では、本発明に係るプログラムのコンピュータ読み取り可能な媒体としてＨＤＤ、ＳＳＤ、ＥＥＰＲＯＭなどを使用した例を開示したが、この例に限定されない。その他のコンピュータ読み取り可能な媒体として、ＣＤ−ＲＯＭ等の可搬型記録媒体を適用することが可能である。また、本開示に係るプログラムのデータを通信回線を介して提供する媒体として、キャリアウェーブ（搬送波）も適用される。
【００６０】
また、上記実施形態における販売管理システム１の各構成要素の細部構成及び細部動作に関しては、本発明の趣旨を逸脱することのない範囲で適宜変更可能であることは勿論である。
【００６１】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
所定の単位文字数からなる文字の組合せにより構成されるコードがユーザー操作に基づき入力されたことを契機として、当該コードに対応する遷移画面を特定する特定手段と、
前記特定手段により特定された前記遷移画面を表示手段に表示させる表示制御手段と、
を備えることを特徴とする表示制御装置。
＜請求項２＞
前記特定手段は、ユーザー操作に基づき入力された前記コードの文字数が入力可能な最大文字数よりも少ない文字数である場合、当該コードが入力されてから所定時間が経過した後に、当該コードに対応する遷移画面を特定することを特徴とする請求項１に記載の表示制御装置。
＜請求項３＞
前記特定手段は、ユーザー操作に基づき入力された前記コードの文字数が入力可能な最大文字数である場合、前記所定時間の経過を待つことなく当該コードに対応する遷移画面を特定することを特徴とする請求項２に記載の表示制御装置。
＜請求項４＞
前記コードを構成する前記所定の単位文字数からなる文字のそれぞれは、当該コードに対応する遷移画面へボタン操作に基づき移行する過程の各階層の画面において操作すべきボタンに付されている識別文字と対応付けられていることを特徴とする請求項１〜３のいずれか一項に記載の表示制御装置。
＜請求項５＞
前記コードとして、新規の遷移画面を前記表示手段に表示可能にするための追加コードが予め設定されており、
前記特定手段は、前記追加コードがユーザー操作に基づき入力されたことを契機として、当該追加コードに対応する前記新規の遷移画面を特定し、
前記表示制御手段は、前記特定手段により特定された前記新規の遷移画面を前記表示手段に表示させることを特徴とする請求項１〜４のいずれか一項に記載の表示制御装置。
＜請求項６＞
前記追加コードがユーザー操作に基づき入力されたことを契機として、当該追加コードに対応する前記新規の遷移画面を前記表示手段に表示させるためのボタンを所定の画面上に配置する配置手段を備えることを特徴とする請求項５に記載の表示制御装置。
＜請求項７＞
ショートカットコードの入力を受け付ける受付手段と、
前記受付手段により前記ショートカットコードの入力が受け付けられたことを契機として、階層化された複数の画面のそれぞれを特定可能な所定のショートカットコード対応テーブルに基づいて、当該ショートカットコードに対応する画面を特定する特定手段と、
前記特定手段により特定された前記画面が表示されるまでの各階層の画面の表示を経ることなく当該特定された画面を表示手段に表示させる表示制御手段と、
を備えることを特徴とする表示制御装置。
＜請求項８＞
コンピュータを、
所定の単位文字数からなる文字の組合せにより構成されるコードがユーザー操作に基づき入力されたことを契機として、当該コードに対応する遷移画面を特定する特定手段、
前記特定手段により特定された前記遷移画面を表示手段に表示させる表示制御手段、
として機能させることを特徴とするプログラム。
【符号の説明】
【００６２】
１  販売管理システム
２  サーバ
２１  ＣＰＵ（特定手段、表示制御手段、配置手段、受付手段）
３  端末装置
３５  表示部（表示手段）
【図１】
2020201803.tif 000003
【図２】
2020201803.tif 000004
【図３】
2020201803.tif 000005
【図４】
2020201803.tif 000006
【図５】
2020201803.tif 000007
【図６】
2020201803.tif 000008
【図７】
2020201803.tif 000009
【図８】
2020201803.tif 000010
【図９】
2020201803.tif 000011
【図１０】
2020201803.tif 000012